(57)【要約】【課題】スライダを駆動するのみで、パネルの筐体からの出入および傾動を行うことができる電子機器のパネル駆動機構を提供する。【解決手段】筐体内部に固定されるシャーシ１に対して前後方向可動に設けられたスライダ２にパネル３を回動自在に支持し、パネル３を水平姿勢とした状態でスライダ２を筐体に出入させ、スライダ２を筐体から突出させた状態でパネル３を回動させて起立させる電子機器のパネル駆動機構において、パネル３を水平姿勢方向に第１のばね６で付勢し、パネル３にレバー４を回動自在に支持し、シャーシ１にロックアーム５を回動自在に支持し、ロックアーム５に設けられた当接部５ａとレバー４とが当接した状態でスライダ２の筐体内部方向である後方への移動によりパネル３を起立方向に回動させる。【選択図】        図２
2006096228.tif 000002
【特許請求の範囲】
【請求項１】
筐体内部に固定されるシャーシに対して前後方向可動に設けられたスライダにパネルを回動自在に支持し、前記パネルを水平姿勢とした状態で前記スライダを筐体に出入させ、前記パネルを筐体から突出させた状態で前記パネルを回動させて起立させる電子機器のパネル駆動機構において、前記パネルを水平姿勢方向に第１のばねで付勢し、前記パネルにレバーを回動自在に支持し、前記シャーシにロックアームを回動自在に支持し、前記ロックアームに設けられた第１の当接部と前記レバーとが当接した状態で前記スライダの筐体内部方向である後方への移動により前記パネルを起立方向に回動させることを特徴とした電子機器のパネル駆動機構。
【請求項２】
前記スライダに設けられた第１のカムが前記ロックアームに設けられた第２の当接部を押すことにより前記ロックアームの前記第１の当接部が前記レバーと当接する方向に前記ロックアームを回動させ、前記スライダに設けられた第２のカムにより前記第２の当接部を押すことにより前記ロックアームの前記第１の当接部が前記レバーから離れる方向に回動させるように構成した請求項１の電子機器のパネル駆動機構。
【請求項３】
前記ロックアームを反転ばねにより前記レバーと当接する方向および前記レバーから離れる方向のいずれか一方の方向に反転付勢するように構成した請求項２の電子機器のパネル駆動機構。
【請求項４】
前記ロックアームを第２のばねにより回動軸方向の前記シャーシと近接する向きに付勢し、前記スライダの前記第１のカムの後方に傾斜面を設け、前記ロックアームの前記第２の当接部が前記傾斜面の後方に位置するときに、前記スライダが後方に移動すると、前記傾斜面が前記第２の当接部を押して前記ロックアームを前記第２のばねの弾力に抗して移動させ前記第２の当接部が前記第１のカムの前方に位置するように前記スライダが移動することを可能とした請求項３の電子機器のパネル駆動機構。
【発明の詳細な説明】
【技術分野】
【０００１】
この発明は電子機器に係わり、特に、そのパネル駆動機構に関する。
【背景技術】
【０００２】
従来のインダッシュ型車載用ＴＶの表示部が設けられたパネルの駆動機構の例を図６により説明する。図６に示すシャーシ１は図示していない筐体内部に固定されている。シャーシ１に立設された軸１ａ、１ａはスライダ２に設けられたガイド溝２ａを挿通しており、スライダ２はシャーシ１に前後方向移動自在に支持されている。
【０００３】
シャーシ１に固定されたモータ１０により回転されるギヤ１０ａはスライダ２に設けられたラック２ｇと噛み合っており、スライダ２はモータ１０により前後方向に駆動される。表示部が設けられたパネル３はスライダ２に立設された軸２ｅに回動自在に支持されている。
【０００４】
スライダ２に固定されたモータ２０により回転されるファイナルギヤ２１はパネル３に固定されたギヤ３ｂと噛み合っている。なお、軸２ｅとギヤ３ｂは同軸に配置される。パネル３はモータ２０の回転により軸２ｅ回りに回動されるが、パネル３は水平姿勢となった状態で、スライダ２が後方（以下筐体内部方向を後方と称し、筐体前方方向を前方と称する）に移動されるとパネル３内部に収納される。使用状態とするときはスライダ２を筐体前方に突出させて、パネル３を回動させて起立させる。
【０００５】
上記したパネルの駆動機構は、スライダ２を駆動するモータ１０とパネル３を回動させるモータ２０および夫々のモータで駆動される駆動機構が必要であり、製造コストが高くなり、また、必要スペースも大きくなっていた。
【０００６】
さらに、パネルを回動させる駆動機構をパネルの一方のみに設けると、従動側の剛性が弱く従動側が撓みやすくなる。パネル両側で駆動させるためには、パネルの両側に延びる駆動軸を必要とするため、駆動軸を配置するためのスペースが必要となるという問題が発生する。
【０００７】
特開平６−１９９１８７号公報に提案された表示部開閉装置は、表示部（パネル）の回動する速度を表示部（パネル）の位置を調整する近傍で遅くしているが、やはり、上記従来例と同様に基台（スライダ）と表示部（パネル）とを別々の駆動機構で駆動しており、上記した図６に示す従来のものと同様の問題があった。
【特許文献１】特開平６−１９９１８７号公報、段落００１９、００２０、図１、図３
【発明の開示】
【発明が解決しようとする課題】
【０００８】
この発明は上記した点に鑑みてなされたものであって、その目的とするところは、スライダを駆動するのみで、パネルの筐体からの出入および傾動を行うことができる電子機器のパネル駆動機構を提供することにある。
【課題を解決するための手段】
【０００９】
この発明の電子機器のパネル駆動機構は、筐体内部に固定されるシャーシに対して前後方向可動に設けられたスライダにパネルを回動自在に支持し、前記パネルを水平姿勢とした状態で前記スライダを筐体に出入させ、前記パネルを筐体から突出させた状態で前記パネルを回動させて起立させる電子機器のパネル駆動機構において、前記パネルを水平姿勢方向に第１のばねで付勢し、前記パネルにレバーを回動自在に支持し、前記シャーシにロックアームを回動自在に支持し、前記ロックアームに設けられた第１の当接部と前記レバーとが当接した状態で前記スライダの筐体内部方向である後方への移動により前記パネルを起立方向に回動させるものである。
【００１０】
また、前記電子機器のパネル駆動機構において、前記スライダに設けられた第１のカムが前記ロックアームに設けられた第２の当接部を押すことにより前記ロックアームの前記第１の当接部が前記レバーと当接する方向に前記ロックアームを回動させ、前記スライダに設けられた第２のカムにより前記第２の当接部を押すことにより前記ロックアームの前記第１の当接部が前記レバーから離れる方向に回動させるように構成したものである。
【００１１】
また、前記電子機器のパネル駆動機構において、前記ロックアームを反転ばねにより前記レバーと当接する方向および前記レバーから離れる方向のいずれか一方の方向に反転付勢するように構成したものである。
【００１２】
また、前記電子機器のパネル駆動機構において、前記ロックアームを第２のばねにより回動軸方向の前記シャーシと近接する向きに付勢し、前記スライダの前記第１のカムの後方に傾斜面を設け、前記ロックアームの前記第２の当接部が前記傾斜面の後方に位置するときに、前記スライダが後方に移動すると、前記傾斜面が前記第２の当接部を押して前記ロックアームを前記第２のばねの弾力に抗して移動させ前記第２の当接部が前記第１のカムの前方に位置するように前記スライダが移動することを可能としたものである。
【発明の効果】
【００１３】
この発明の電子機器のパネル駆動機構によれば、パネルを筐体から出入させるスライダの動きによりパネルを起立させることができるので、パネルを回動させるための専用のモータおよびそのモータの回転を伝える駆動機構が必要でなく機構を簡素に構成できる。
【００１４】
パネルを回動させるための専用のモータの回転を伝える駆動機構をパネルの両側に設けることなくパネルをその両側で回動駆動することも可能となるので、その場合パネルの両側を剛性の高い状態で支持することができる。
【発明を実施するための最良の形態】
【００１５】
以下この発明を実施するための最良の形態を実施例に即して説明する。
【実施例１】
【００１６】
図１はこの発明の実施例１である車載用電子機器のパネル駆動機構を一部部材を除去または透視して示す平面図、図２（ａ）は図１におけるＡ方向矢視図において一部部材を透視して示す図、図２（ｂ）は図２（ａ）におけるＢ−Ｂ断面図、図２（ｃ）は図２（ａ）におけるＣ−Ｃ断面図である。また、図３〜図５は図２（ａ）に示す部分の他の状態を示す図である。
【００１７】
図に示すシャーシ１は図示していない筐体内部に固定されている。シャーシ１に立設された軸１ａ、１ａ…はスライダ２に設けられたガイド溝２ａ、２ａ…を挿通しており、スライダ２はシャーシ１に前後方向移動自在に支持されている。
【００１８】
シャーシ１に固定されたモータ１０は減速機構を介してシャーシ１に回転自在に支持されたファイナルギヤ１１を回転させる。ファイナルギヤ１１はスライダ２に設けられたラック２ｇと噛み合っており、モータ１０はスライダ２を前後方向に駆動する。
【００１９】
なお、スライダ２の特定位置はフォトセンサまたはマイクロスイッチで検出されるが、これらのフォトセンサまたはマイクロスイッチは図示していない。スライダ２の後方下部には円弧状の第１のカム２ｂと第２のカム２ｃが形成され、第１のカム２ｂの後方には傾斜面２ｄが形成されている。
【００２０】
以下に説明する部材はシャーシ１の両側部に対称に設けられているがその一方のみを説明する。表示部（ＬＣＤ）が設けられたパネル３はスライダ２に立設された軸２ｅに回動自在に支持されている。捩りコイルばねで構成された第１のばね６は軸２ｅに嵌装され、パネル３とスライダ２とを係止しており、パネル３を水平姿勢位置方向に付勢する。パネル３が水平姿勢となったときは図示していないストッパに当接しその位置は安定する。
【００２１】
パネル３に立設された軸３ａはレバー４を回動自在に支持しており、レバー４に設けられた溝４ｂにはスライダ２に立設された軸２ｆが係合しており、レバー４が回動するときパネル３の側面と平行状態が保たれる。レバー４の先端には円弧形状の凹み４ａが形成されている。
【００２２】
シャーシ１に立設された軸１ｂにロックアーム５が回動自在に支持され、シャーシ１に向けて付勢されている。すなわち、軸１ｂの鍔部に係止されたワッシャー８とロックアーム５との間に圧縮コイルばねで構成された第２のばね７が嵌装され、第２のばね７がロックアーム５をシャーシ１に向けて付勢している。
【００２３】
ロックアーム５の一方の端部にはレバー４の凹み４ａと当接する軸５ａが立設され、ロックアーム５の他方の端部にはスライダ２の第１のカム２ｂおよび第２のカム２ｃと当接する軸５ｂが立設されている。ロックアーム５とシャーシ１とに係止する反転ばね９がロックアーム５を時計方向または反時計方向のいずれか一方の方向に付勢する。
【００２４】
次に、上記構成のパネル駆動機構の動作を説明する。パネル３が筐体内に収納された状態では図１および図２（ａ）に示すようにスライダ２は最後方に位置しており、パネル３は水平姿勢とされている。
【００２５】
この状態で図示していないパネル出入釦を押すと、その信号が図示していない制御部に入力され、制御部はモータ２０を正転させる。モータ２０が正転することによりスライダ２は前進する。スライダ２が前進すると第１のカム２ｂがロックアーム５の軸５ｂを押し下げロックアーム５は時計方向に回動される。ロックアーム５が所定の位置を過ぎる迄時計方向に回動されると、反転ばね９は時計方向に付勢するようになり、ロックアーム５を図示していないストッパに圧接する。
【００２６】
ロックアーム５をこのように回動させるスライダ２の位置は図示していないフォトセンサで検出され、そのフォトセンサからの信号が制御部に入力されると、制御部はモータ２０を停止した後、モータ２０を逆転させる。そして、スライダ２が後退すると、図３（ａ）に示すようにレバー４の凹み４ａがロックアーム５の軸５ａに係合するようになる。
【００２７】
図３（ａ）はレバー４の凹み４ａがロックアーム５の軸５ａに係合する直前の状態を示している。レバー４の凹み４ａがロックアーム５の軸５ａと係合した状態でロックアーム５はシャーシ１に対して不動状態となっているので、レバー４は軸５ａ回りに回動するように動きが規制される。
【００２８】
そして、スライダ２と共に移動するパネル３の軸３ａはレバー４に時計方向の回動力を加えるため、レバー４は時計方向に回動し、パネル３を第２のばね６の弾力に抗して反時計方向に回動させる。
【００２９】
このようにスライダ２が後退するときにパネル３は図３（ｂ）に示す位置を経過して図４（ａ）に示す使用状態の定位置まで回動される。溝４ｂはこのときの軸２ｆがレバー４上に描く軌跡の形状となっているので、溝４ｂと軸２ｆとの係合はレバー４およびパネル３の動きを妨げない。
【００３０】
パネル３が使用状態の定位置となるときのスライダ２の位置は図示していないフォトセンサで検出され、モータ１０が停止される。その状態が図４（ａ）に示されている。スライダ２を複数位置で停止可能としてもよく、また、押釦を押している間だけモータ１０が回転するようにしてパネル３の使用状態の傾斜角を選択できるようにしてもよい。
【００３１】
図４（ａ）に示すパネル３の使用状態において、パネル出入釦を押すと、その信号が図示していない制御部に入力され、制御部はモータ２０を正転させる。モータ２０が正転することによりスライダ２は前進する。このときパネル３は第１のばね６により水平姿勢とされる。
【００３２】
スライダ２は図４（ｂ）に示す位置を経由して図５（ａ）に示す最前進位置まで前進し、軸１ａがスライダ２のガイド溝２ａの右端を押すことによるモータ電流の過電流が検出されてモータ１０が停止される。
【００３３】
この間に第２のカム２ｃはロックアーム５の軸５ｂを上に押し上げロックアーム５は反時計方向に回動される。ロックアーム５が所定の位置を過ぎる迄反時計方向に回動されると、反転ばね９はロックアーム５を反時計方向に付勢するようになり、ロックアーム５を図示していないストッパに圧接する。
【００３４】
スライダ２が図５（ａ）に示す最前進位置で停止した後、制御部はモータ２０を逆転させる。モータ２０が逆転することによりスライダ２は後退する。このときスライダ２の傾斜面２ｄはロックアーム５の軸５ｂを押し上げロックアーム５を第２のばね７の弾力に抗してシャーシ１から離れる方向に移動させる。
【００３５】
そして、軸５ｂが第１のカムの後方の部分を乗り越えることにより第１のカム２ｂは軸５ｂの後方に位置するようになる。その後もスライダ２は後退を続け図５（ｂ）に示す最後退位置となる。この状態ではパネル３は筐体内部に収納された状態であり、図２に示した初期の状態と同じ状態である。
【００３６】
実施例は以上のように構成されているが発明はこれに限られず、例えば、パネルはＬＣＤを保持するものに限られず、点灯表示部や操作つまみのみを設けたパネルにこの発明を適用することができる。
【００３７】
また、パネルおよびその支持機構の剛性が高い場合は、パネルを回動するための機構をパネルの片側のみに設けてもこの発明の効果が得られる。
【図面の簡単な説明】
【００３８】
【図１】この発明の実施例１である車載用電子機器のパネル駆動機構を一部部材を除去または透視して示す平面図である。
【図２】図２（ａ）は図１におけるＡ方向矢視図において一部部材を透視して示す図、図２（ｂ）は図２（ａ）におけるＢ−Ｂ断面図、図２（ｃ）は図２（ａ）におけるＣ−Ｃ断面図である。
【図３】図３（ａ）は図２（ａ）に示す部分の他の状態を示す図、図３（ｂ）は図２（ａ）に示す部分のさらに他の状態を示す図である。
【図４】図４（ａ）は図２（ａ）に示す部分のさらに他の状態を示す図、図４（ｂ）は図２（ａ）に示す部分のさらに他の状態を示す図である。
【図５】図５（ａ）は図２（ａ）に示す部分のさらに他の状態を示す図、図５（ｂ）は図２（ａ）に示す部分のさらに他の状態を示す図である。
【図６】従来のインダッシュ型車載用ＴＶのパネル駆動機構の例を一部部材を透視して示す側面図である。
【符号の説明】
【００３９】
１  シャーシ、１ａ、１ｂ  軸
２  スライダ、２ａ  ガイド溝、２ｂ  第１のカム、２ｃ  第２のカム、２ｄ  傾斜面  ２ｅ、２ｆ  軸、２ｇ  ラック
３  パネル、３ａ  軸、３ｂ  ギヤ
４  レバー、４ａ  凹み、４ｂ  溝
５  ロックアーム、５ａ、５ｂ  軸
６  第１のばね
７  第２のばね
８  ワッシャー
９  反転ばね
１０  モータ、１０ａ  ギヤ
１１  ファイナルギヤ
２０  モータ
２１  ファイナルギヤ
【図１】
2006096228.tif 000003
【図２】
2006096228.tif 000004
【図３】
2006096228.tif 000005
【図４】
2006096228.tif 000006
【図５】
2006096228.tif 000007
【図６】
2006096228.tif 000008